【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】
被検体にＸ線を照射するＸ線源と、Ｘ線源に高電圧及び電流を供給する高電圧発生装置と、Ｘ線源と対向配置され被検体の透過Ｘ線量データを検出するＸ線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、設定された撮影位置を含む被検体の周囲に設定されたスキャン条件によりＸ線源を回転しながらそのＸ線源からＸ線を照射し、Ｘ線検出に検出された被検体の透過Ｘ線データから断層像を再構成する断層像再構成手段と、再構成された断層像を表示装置に表示させる制御手段とを備えたＸ線ＣＴ装置において、スキャノグラム像に基づき被検体のＸ線透過長を計算する透過長計算手段と、計算されたＸ線透過長とスキャン条件とから被検体の撮影部位に応じたＸ線をＸ線源に発生させるための電流値を高電圧発生装置に設定する電流設定手段とを備えたことを特徴とするＸ線ＣＴ装置。
【請求項２】
上記透過長計算手段は、被検体に照射されるＸ線量データと標準人体モデルデータを用いてＸ線透過長を求めることを特徴とする請求項１に記載のＸ線ＣＴ装置。
【請求項３】
上記電流値設定手段は、スキャン条件から第１の電流値を高電圧発生装置に設定することを特徴とする請求項１に記載のＸ線ＣＴ装置。
【請求項４】
上記電流値設定手段は、Ｘ線透過長から被検体の部位に応じた第２の電流値の最大値と最小値を高電圧発生装置に設定することを特徴とする請求項１に記載のＸ線ＣＴ装置。
【請求項５】
上記電流値設定手段は、スキャン条件から第１の電流値を求め、その第１の電流値とＸ線透過長から被検体の部位に応じた第２の電流値を求め、その第２の電流値を高電圧発生装置に設定することを特徴とする請求項１に記載のＸ線ＣＴ装置。
【請求項６】
上記電流値設定手段は、Ｘ線透過長とＸ線源に供給する電流値の特性曲線のガンマを被検体の部位によって電流値を高電圧発生装置に設定することを特徴とする請求項１に記載のＸ線ＣＴ装置。
【請求項７】
上記制御手段は、被検体の部位に応じて設定される電流値の変化パターンと被検体のスキャノグラム像とを並置して、又は重ねて表示することを特徴とする請求項１に記載のＸ線ＣＴ装置。
【請求項８】
被検体にＸ線を照射するＸ線源と、Ｘ線源に高電圧及び電流を供給する高電圧発生装置と、Ｘ線源と対向配置され被検体の透過Ｘ線量データを検出するＸ線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、ＣＴスキャナのスキャン条件を設定する条件設定手段と、設定された撮影位置を含む被検体の周囲に設定されたスキャン条件によりＸ線源を回転しながらそのＸ線源からＸ線を照射し、Ｘ線検出に検出された被検体の透過Ｘ線データから断層像を再構成する断層像再構成手段と、再構成された断層像を表示装置に表示させる制御手段とを備えたＸ線ＣＴ装置において、スキャノグラム像に基づき被検体のＸ線透過長を計算する透過長計算手段と、計算されたＸ線透過長とスキャン条件とから被検体の撮影部位に応じたＸ線をＸ線源に発生させるための電流値に応じた線量を計算する線量計算手段とを備え、制御手段は、計算した線量をスキャノグラム像と並置して、又は重ねて表示装置に表示させることを特徴とするＸ線ＣＴ装置。
【請求項９】
被検体にＸ線を照射するＸ線源と、Ｘ線源に高電圧及び電流を供給する高電圧発生装置と、Ｘ線源と対向配置され被検体の透過Ｘ線量データを検出するＸ線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、ＣＴスキャナのスキャン条件を設定する条件設定手段と、設定された撮影位置を含む被検体の周囲に設定されたスキャン条件によりＸ線源を回転しながらそのＸ線源からＸ線を照射し、Ｘ線検出に検出された被検体の透過Ｘ線データから断層像を再構成する断層像再構成手段と、再構成された断層像を表示装置に表示させる制御手段とを備えたＸ線ＣＴ装置において、スキャノグラム像に基づき被検体のＸ線透過長を計算する透過長計算手段と、計算されたＸ線透過長とスキャン条件とから被検体の撮影部位に応じたＸ線をＸ線源に発生させるための電流値に応じた被検体内の線量分布を計算する線量分布計算手段とを備え、制御手段は、計算した線量分布をスキャノグラム像と並置して、又は重ねて表示装置に表示させることを特徴とするＸ線ＣＴ装置。
【請求項１０】
被検体にＸ線を照射するＸ線源に高電圧と電流を供給する高電圧発生装置と、Ｘ線源と対向配置され被検体の透過Ｘ線を検出するＸ線検出器と、Ｘ線源とＸ線検出器を被検体の周囲を回転させるスキャナを回転駆動するスキャナ駆動手段と、被検体の断層像を得るためのスキャン条件を設定する操作手段と、被検体のスキャノグラム像を得て、そのスキャノグラム像を解析し、被検体のＸ線透過長を求めるスキャノグラム解析手段と、スキャン条件とＸ線透過長とから電流値を高電圧発生装置に設定する電流設定手段と、スキャナ駆動手段にスキャナを回転させながら、設定された電流値に基づきＸ線源にＸ線を照射させて被検体の断層像を得るためのデータを収集する制御装置と、収集されたデータを再構成して断層像を再構成する画像処理装置と、再構成された断層像を表示する表示装置とを備えたことを特徴とするＸ線ＣＴ装置。
【請求項１１】
被検体の断層像を得るためのスキャノグラム像を得て、そのスキャノグラム像を表示装置に表示するステップと、表示されたスキャノグラム像と対応づけてＸ線源への第１の供給電流の変化のパターンを表示するステップと、そのスキャノグラム像を参照しながら第１の供給電流の供給電流の変化パターンから第２の供給電流の変化パターンへ操作手段によって編集するステップと、編集された第２の供給電流の変化パターンに基づいて被検体の断層像を得て、その断層像を表示装置に表示するステップとを備えたＸ線ＣＴ装置の画像表示方法。
【請求項１２】
Ｘ線源への供給電流を含む被検体の断層像を得るためのスキャン条件を設定するステップと、被検体のスキャノグラム像を撮影して、そのスキャノグラム像を表示装置に表示するステップと、表示されたスキャノグラム像を解析して被検体のＸ線透過長データを求めるステップと、Ｘ線源への供給電流と被検体のＸ線透過長データとから被検体の撮影部位に応じた電流パターンを計算するステップと、計算された電流パターンに基づく電流値を高電圧発生装置に設定し、その電流をＸ線源に供給し、その電流とスキャン条件によって被検体の断層像を得て、その断層像を表示装置に表示するステップとを備えたＸ線ＣＴ装置の画像表示方法。
【請求項１３】
上記表示ステップは、被検体の部位に応じて設定される電流値の変化パターンと被検体のスキャノグラム画像とを並置して、又は重ねて表示することを特徴とする請求項１２に記載のＸ線ＣＴ装置の画像表示方法。
【請求項１４】
Ｘ線源への供給電流を含む被検体の断層像を得るためのスキャン条件を設定するステップと、被検体のスキャノグラム像を撮影して、そのスキャノグラム像を表示装置に表示するステップと、表示されたスキャノグラム像を解析して被検体のＸ線透過長データを求めるステップと、Ｘ線源への供給電流と被検体のＸ線透過長データとから被検体の撮影部位に応じた電流パターンと被検体内の線量分布を計算するステップと、計算された電流パターンと被検体内の線量分布に基づく電流値を高電圧発生装置に設定し、その電流をＸ線源に供給し、その電流とスキャン条件によって被検体の断層像を得て、その断層像を表示装置に表示するステップとを備えたＸ線ＣＴ装置の画像表示方法。
【請求項１５】
上記表示ステップは、被検体の部位に応じて設定される電流値の変化パターンと被検体内の線量分布と被検体のスキャノグラム画像とを並置して、又は重ねて表示することを特徴とする請求項１２に記載のＸ線ＣＴ装置の画像表示方法。
【手続補正２】
【補正対象書類名】明細書
【補正対象項目名】００１４
【補正方法】変更
【補正の内容】
【００１４】
【課題を解決するための手段】
上記目的を達成するため、本発明のX線CT装置は、被検体にX線を照射するX線源と、X線源に高電圧及び電流を供給する高電圧発生装置と、X線源と対向配置され被検体の透過X線量データを検出するX線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、設定された撮影位置を含む被検体の周囲に設定されたスキャン条件によりX線源を回転しながらそのX線源からX線を照射し、X線検出に検出された被検体の透過X線データから断層像を再構成する断層像再構成手段と、再構成された断層像を表示装置に表示させる制御手段とを備えたX線CT装置において、スキャノグラム像に基づき被検体のX線透過長を計算する透過長計算手段と、計算されたX線透過長とスキャン条件とから被検体の撮影部位に応じたX線をX線源に発生させるための電流値を高電圧発生装置に設定する電流設定手段とを備えたことを特徴とする。
【手続補正３】
【補正対象書類名】明細書
【補正対象項目名】００１５
【補正方法】変更
【補正の内容】
【００１５】
また本発明のX線CT装置は、被検体にX線を照射するX線源と、X線源に高電圧及び電流を供給する高電圧発生装置と、X線源と対向配置され被検体の透過X線量データを検出するX線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、CTスキャナのスキャン条件を設定する条件設定手段と、設定された撮影位置を含む被検体の周囲に設定されたスキャン条件によりX線源を回転しながらそのX線源からX線を照射し、X線検出に検出された被検体の透過X線データから断層像を再構成する断層像再構成手段と、再構成された断層像を表示装置に表示させる制御手段とを備えたX線CT装置において、スキャノグラム像に基づき被検体のX線透過長を計算する透過長計算手段と、計算されたX線透過長とスキャン条件とから被検体の撮影部位に応じたX線をX線源に発生させるための電流値に応じた線量を計算する線量計算手段とを備え、制御手段は、計算した線量をスキャノグラム像と並置して、又は重ねて表示装置に表示させることを特徴とする。
【手続補正４】
【補正対象書類名】明細書
【補正対象項目名】００１６
【補正方法】変更
【補正の内容】
【００１６】
また本発明のX線CT装置は、被検体にX線を照射するX線源と、X線源に高電圧及び電流を供給する高電圧発生装置と、X線源と対向配置され被検体の透過X線量データを検出するX線検出器と、被検体の断層像を得るためのスキャン条件を設定するスキャン条件設定手段と、被検体のスキャノグラム像を表示する表示装置と、表示されたスキャノグラム像上に被検体の断層像の撮影位置を設定する撮影位置設定手段と、CTスキャナのスキャン条件を設定する条件設定手段と、設定された撮影位置を含む被検体の周囲に設定されたスキャン条件によりX線源を回転しながらそのX線源からX線を照射し、X線検出に検出された被検体の透過X線データから断層像を再構成する断層像再構成手段と、再構成された断層像を表示装置に表示させる制御手段とを備えたX線CT装置において、スキャノグラム像に基づき被検体のX線透過長を計算する透過長計算手段と、計算されたX線透過長とスキャン条件とから被検体の撮影部位に応じたX線をX線源に発生させるための電流値に応じた被検体内の線量分布を計算する線量分布計算手段とを備え、制御手段は、計算した線量分布をスキャノグラム像と並置して、又は重ねて表示装置に表示させることを特徴とする。
【手続補正５】
【補正対象書類名】明細書
【補正対象項目名】００１７
【補正方法】変更
【補正の内容】
【００１７】
また本発明のX線CT装置は、被検体にX線を照射するX線源に高電圧と電流を供給する高電圧発生装置と、X線源と対向配置され被検体の透過X線を検出するX線検出器と、X線源とX線検出器を被検体の周囲を回転させるスキャナを回転駆動するスキャナ駆動手段と、被検体の断層像を得るためのスキャン条件を設定する操作手段と、被検体のスキャノグラム像を得て、そのスキャノグラム像を解析し、被検体のX線透過長を求めるスキャノグラム解析手段と、スキャン条件とX線透過長とから電流値を高電圧発生装置に設定する電流設定手段と、スキャナ駆動手段にスキャナを回転させながら、設定された電流値に基づきX線源にX線を照射させて被検体の断層像を得るためのデータを収集する制御装置と、収集されたデータを再構成して断層像を再構成する画像処理装置と、再構成された断層像を表示する表示装置とを備えたことを特徴とする。
【手続補正６】
【補正対象書類名】明細書
【補正対象項目名】００１８
【補正方法】変更
【補正の内容】
【００１８】
また本発明のX線CT装置の画像表示方法は、被検体の断層像を得るためのスキャノグラム像を得て、そのスキャノグラム像を表示装置に表示するステップと、表示されたスキャノグラム像と対応づけてX線源への第1の供給電流の変化のパターンを表示するステップと、そのスキャノグラム像を参照しながら第1の供給電流の供給電流の変化パターンから第2の供給電流の変化パターンへ操作手段によって編集するステップと、編集された第2の供給電流の変化パターンに基づいて被検体の断層像を得て、その断層像を表示装置に表示するステップとを備える。
【手続補正７】
【補正対象書類名】明細書
【補正対象項目名】００１９
【補正方法】変更
【補正の内容】
【００１９】
また本発明のX線CT装置の画像表示方法は、X線源への供給電流を含む被検体の断層像を得るためのスキャン条件を設定するステップと、被検体のスキャノグラム像を撮影して、そのスキャノグラム像を表示装置に表示するステップと、表示されたスキャノグラム像を解析して被検体のX線透過長データを求めるステップと、X線源への供給電流と被検体のX線透過長データとから被検体の撮影部位に応じた電流パターンを計算するステップと、計算された電流パターンに基づく電流値を高電圧発生装置に設定し、その電流をX線源に供給し、その電流とスキャン条件によって被検体の断層像を得て、その断層像を表示装置に表示するステップとを備える。
【手続補正８】
【補正対象書類名】明細書
【補正対象項目名】００２０
【補正方法】変更
【補正の内容】
【００２０】
また本発明のX線CT装置の画像表示方法は、X線源への供給電流を含む被検体の断層像を得るためのスキャン条件を設定するステップと、被検体のスキャノグラム像を撮影して、そのスキャノグラム像を表示装置に表示するステップと、表示されたスキャノグラム像を解析して被検体のX線透過長データを求めるステップと、X線源への供給電流と被検体のX線透過長データとから被検体の撮影部位に応じた電流パターンと被検体内の線量分布を計算するステップと、計算された電流パターンと被検体内の線量分布に基づく電流値を高電圧発生装置に設定し、その電流をX線源に供給し、その電流とスキャン条件によって被検体の断層像を得て、その断層像を表示装置に表示するステップとを備える。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】